(57)【要約】【課題】冷媒循環量が増加しやすい電源投入時において、冷媒流音の発生を防止する。【解決手段】三方弁３により冷媒の流れを冷蔵室回路と冷凍室回路に切り替えることにより冷蔵室８と冷凍室９を交互に冷却する冷蔵庫において、電源投入からの一定時間、冷蔵室冷却時間および冷凍室冷却時間を、それぞれ独立した所定時間に固定し、冷凍室冷却時間を冷蔵室冷却時間より長い所定時間に設定することにより、冷凍室用蒸発器に十分な冷媒をホールドさせることができ、冷凍室冷却モードから冷蔵室冷却モードに切り替わったとき、冷蔵室冷却中に冷媒循環量が増加するのを抑止し、冷蔵室用蒸発器５の上流側に配設された第一のキャピラリ４付近で冷媒流音が発生するのを防ぐことができる。【選択図】  図１
2005016778.tif 000002
【特許請求の範囲】
【請求項１】
圧縮機と、凝縮器と、冷媒流路切替手段である三方弁と、第一のキャピラリと冷蔵室用蒸発器と、第二のキャピラリと冷凍室用蒸発器と、冷蔵室冷却用ファンと冷凍室冷却用ファンを備えた冷蔵室と冷凍室とで構成され、前記三方弁により冷媒の流れを冷蔵室回路と冷凍室回路に切り替えることにより前記冷蔵室と前記冷凍室を交互に冷却する冷蔵庫において、電源投入からの一定時間、冷蔵室冷却時間および冷凍室冷却時間を、それぞれ独立した所定時間に固定し、冷凍室冷却時間を冷蔵室冷却時間より長い所定時間に設定することを特徴とした冷蔵庫。
【請求項２】
前記電源投入時からの一定時間、冷蔵室冷却時間、および冷凍室冷却時間を、外気温度検知手段によって検知される外気温度によって判断される所定時間に設定することを特徴とした請求項１記載の冷蔵庫。
【発明の詳細な説明】
【０００１】
【発明の属する技術分野】
本発明は、冷蔵室と冷凍室を交互に独立して冷却するシステムの低騒音化に関するものである。
【０００２】
【従来の技術】
近年、冷凍室と冷蔵室にそれぞれ蒸発器を備えた冷蔵庫が開発されている（例えば、特許文献１参照。）。
【０００３】
以下、図面を参照しながら上記従来の冷蔵庫について説明する。
【０００４】
図４は、従来の冷却サイクル並びに冷蔵庫の概略図である。
【０００５】
１は圧縮機、２は凝縮器、切替弁３は機械室内に配設されており、冷蔵室用蒸発器５は冷蔵室９内に配設されている。冷凍室用蒸発器７は冷凍室１０内に配設されている。
【０００６】
第一のキャピラリ４は、冷蔵室冷却用である冷蔵室用蒸発器５の上流側に配設されており、第二のキャピラリ６は冷凍室冷却用である冷凍室用蒸発器７の上流側に配設されている。
【０００７】
以上のように構成された冷蔵庫について、その動作を説明する。
【０００８】
圧縮機１が駆動された状態で、切替弁３により、圧縮機１から吐出される冷媒が冷蔵室用蒸発器５側に流れるように冷媒流路を切り替えた状態では、圧縮機１において圧縮された冷媒は、高温高圧ガスとなって凝縮器２に送られ、ここで放熱して液化されるようになる。液化された冷媒は、切替弁３により第一のキャピラリ４を通って冷蔵室用蒸発器５に送られ、ここで蒸発することに伴い周囲の熱を奪い、この結果周囲の空気を冷却する。ガス化した冷媒は再び圧縮機１において圧縮されるようになる。
【０００９】
このとき、冷蔵室用蒸発器５により冷却された冷気は冷蔵室用ファン１０の送風作用により冷蔵室８に供給され庫内が冷却される。この場合、冷蔵室８の温度は例えば＋２℃であるために、冷蔵室用蒸発器５による冷却温度が約−５℃となるように、圧縮機１の運転周波数が設定される。また、この時の冷蔵室用蒸発器５の圧力は例えば約０．２４ＭＰａである。このような冷却状態を冷蔵室冷却モードという。
【００１０】
また、圧縮機１が駆動された状態で、切替弁３により、圧縮機１から吐出される冷媒が冷凍室用蒸発器７側に流れるように冷媒流路を切り替えた状態では、圧縮機１において圧縮された冷媒は、高温高圧ガスとなって凝縮器２に送られ液化された冷媒は、切替弁３により第二のキャピラリ６を通って冷凍室用蒸発器７に送られ、ここで蒸発することに伴い周囲の熱を奪い、この結果周囲の空気を冷却する。ガス化した冷媒は、再び圧縮機１において圧縮されるようになる。
【００１１】
このとき、冷凍室用蒸発器７により冷却された冷気は冷凍室用ファン１１の送風作用により冷凍室９に供給され庫内が冷却される。この場合、冷凍室９の温度は例えば−１８℃であるために、冷凍室用蒸発器７による冷却温度が約−２８℃となるように、圧縮機１の運転周波数が設定される。また、この時の冷凍室用蒸発器７の圧力は例えば約０．０９ＭＰａである。このような冷却状態を冷凍室冷却モードという。
【００１２】
この冷蔵庫において、冷蔵室８、冷凍室９には図示しないがそれぞれ温度センサーが設けられていて、それら各温度センサーの検出信号はマイクロコンピューターを備えた制御回路に入力されるようになる。制御回路は、それらの検出信号と、予め備えた制御プログラムに従って、圧縮機１、切替弁３、冷蔵室ファン様ファン１０、冷凍室用ファン１１などを制御する。
【００１３】
【特許文献１】
特開２００１−９１１３０号公報
【００１４】
【発明が解決しようとする課題】
しかしながら、上記従来の構成は、電源投入後の一定時間、冷媒循環量が多いとき、冷凍室冷却モードから冷蔵室冷却モードへ切り替えが行われる際に、冷蔵室冷却中の冷媒循環量が増加してしまうため、冷蔵室用蒸発器の上流側に配設された第一のキャピラリ付近で冷媒流音が発生しやすいという問題があった。
【００１５】
本発明は、従来の課題を解決するもので、冷媒循環量が増加しやすい電源投入時において、一定時間、冷蔵室冷却時間および冷凍室冷却時間をそれぞれ独立した所定時間に固定し、さらに冷凍室冷却時間を冷蔵室冷却時間より長く固定することにより、冷凍室用蒸発器に十分な冷媒をホールドさせることができる。これにより、冷凍室冷却モードから冷蔵室冷却モードに切り替わったとき、冷蔵室冷却中に冷媒循環量が増加するのを抑止し、冷蔵室用蒸発器の上流側に配設された第一のキャピラリ付近で冷媒流音が発生するのを防ぐことを目的とする。
【００１６】
【課題を解決するための手段】
本発明の請求項１に記載の発明は、圧縮機と、凝縮器と、冷媒流路切替手段である三方弁と、第一のキャピラリと冷蔵室用蒸発器と、第二のキャピラリと冷凍室用蒸発器と、冷蔵室冷却用ファンと冷凍室冷却用ファンを備えた冷蔵室と冷凍室とで構成され、前記三方弁により冷媒の流れを冷蔵室回路と冷凍室回路に切り替えることにより前記冷蔵室と前記冷凍室を交互に冷却する冷蔵庫において、電源投入からの一定時間、冷蔵室冷却時間および冷凍室冷却時間を、それぞれ独立した所定時間に固定し、冷凍室冷却時間を冷蔵室冷却時間より長い所定時間に設定するものであり、冷凍室冷却時間を冷蔵室冷却時間より長く固定することにより、冷凍室用蒸発器に十分な冷媒をホールドさせることができ、冷凍室冷却モードから冷蔵室冷却モードに切り替わったとき、冷蔵室冷却中に冷媒循環量が増加するのを抑止し、冷蔵室用蒸発器の上流側に配設された第一のキャピラリ付近で冷媒流音が発生するのを防ぐことができる。
【００１７】
請求項２記載の発明は、請求項１記載の発明において、前記電源投入時からの一定時間、冷蔵室冷却時間、および冷凍室冷却時間を、外気温度検知手段によって検知される外気温度によって判断される所定時間に設定するものであり、冷媒流音が発生しやすい外気温度と発生しにくい外気温度によって、それぞれ適正な固定冷却時間を設定することができ、冷凍室用蒸発器にホールドする冷媒量を調節し、冷媒循環量の増加によって冷蔵室用蒸発器の上流側に配設された第一のキャピラリ付近で冷媒流音が発生するのを防ぐことができる。
【００１８】
【発明の実施の形態】
以下、本発明の実施の形態について図１〜図３を用いて説明する。
【００１９】
（実施の形態１）
図１は本発明の実施の形態１における冷蔵庫の断面図であり、図２は同実施の形態冷蔵庫のタイムチャートである。
【００２０】
１７は冷蔵庫箱体であり、上方部に比較的高温の区画である冷蔵室８を、下方部に比較的低温の冷凍室９を配置しており、例えばウレタンのような断熱材で周囲と断熱して構成している。食品等の収納物の出し入れは図示しない断熱ドアを介して行われる。
【００２１】
冷蔵室８は冷蔵保存のために通常１〜５℃で設定されているが、保鮮性向上のため若干低めの温度、例えば−３〜０℃で設定されることもあり、収納物によって、使用者が自由に上記のような温度設定を切り替えることを可能としている場合もある。また、ワインや根野菜等の保鮮のために、例えば１０℃前後の若干高めの温度設定とする場合もある。
【００２２】
冷凍室９は冷凍保存のために通常−２２〜−１８℃で設定されているが、保鮮性向上のためより低温の温度、例えば−３０〜−２５℃で設定されることもある。
【００２３】
冷凍サイクル１９は圧縮機１と凝縮器２と流路切替手段である三方弁３と第一のキャピラリ４と冷蔵室用蒸発器５と第一のサクションライン１２を順次接続し、三方弁３を介して第一のキャピラリ４と冷蔵室用蒸発器５と第一のサクションライン１２と並列になるように第ニのキャピラリ６と冷凍室用蒸発器７と第二のサクションライン１３を接続してある。
【００２４】
各蒸発器から戻ってくる冷媒は圧縮機吸込管１４を通って圧縮機１内空間へ放出された後、圧縮機吐出管１５を通じて吐出される構成である。
【００２５】
冷蔵室用蒸発器５は冷蔵室８内の、例えば冷蔵室８奥面に配設されており、近傍には冷蔵室８の区画内空気を冷蔵室用蒸発器５に通過させて循環させる冷蔵室用ファン１０が設けてある。
【００２６】
また、冷凍室用蒸発器７は冷凍室９内の、例えば冷凍室９奥面に配設されており、近傍には冷凍室９の区画内空気を冷凍室用蒸発器７を通過させて循環させる冷凍室用ファン１１が設けてある。
【００２７】
また、圧縮機１は例えばインバーターによる回転数制御で冷媒循環量を制御し冷凍能力を変化させることができる能力可変型としてある。
【００２８】
また、三方弁３は例えばパルスモータにより作動するものであり開閉の動作中のみ通電されるものである。
【００２９】
冷蔵室８と冷凍室９には区画内温度を検知する、例えばサーミスタである温度検知手段ＴＨ１、ＴＨ２を設けてあり、さらに冷蔵庫箱体１７には外気温度を検知する、例えばサーミスタである温度検知手段１８が設けられており、圧縮機１と三方弁３と冷蔵室用ファン１０と冷凍室用ファン１１とを制御する制御手段Ｃ１とを備えている。
【００３０】
以上のように構成された冷蔵庫について、冷蔵室８と冷凍室９の冷却タイミングについて図２のタイムチャートを元に説明する。
【００３１】
図２に示すように、電源投入後、一定のＴ時間、冷蔵室８および冷凍室９を冷却する時間は、それぞれＴｐおよびＴｆに固定されており、Ｔｆ＞Ｔｐとする。冷蔵室冷却モードおよび冷凍室冷却モードの各サイクルは、Ｔｐ経過後に三方弁３を第二のキャピラリ６側に開放し冷凍室９の冷却を開始し、さらにＴｆ経過後に三方弁３を第一のキャピラリ４側に開放し、冷蔵室８の冷却を開始するサイクルを繰り返す。なお、Ｔｆ＞Ｔｐであり、電源投入後、一定のＴ時間、冷凍室冷却時間を冷蔵室冷却時間より長い時間に設定することによって、冷凍室蒸発器７に多量の冷媒をホールドすることができ、冷蔵室８冷却中に冷媒循環量増加による冷媒流音の発生を防ぐことができる。
【００３２】
（実施の形態２）
図３は、本発明の実施の形態２の冷蔵庫における固定冷却時間テーブルの一例である。なお、実施の形態１と同様の制御については説明を省略する。
【００３３】
電源投入時に、冷蔵庫箱体１７に設置された外気温度検知手段１８により検知された温度によって、電源投入時からの所定時間Ｔ、冷蔵室冷却時間Ｔｐ、冷凍室冷却時間Ｔｆが定まる。これによって、冷媒流音が発生しやすい外気温度と発生しにくい外気温度によって、それぞれ適正な固定冷却時間を設定することができ、冷凍室用蒸発器にホールドする冷媒量を調節し、冷媒循環量の増加によって冷蔵室用蒸発器の上流側に配設された第一のキャピラリ付近で冷媒流音が発生するのを防ぐことができる。
【００３４】
【発明の効果】
以上説明したように、請求項１に記載の発明は、圧縮機と、凝縮器と、冷媒流路切替手段である三方弁と、第一のキャピラリと冷蔵室用蒸発器と、第二のキャピラリと冷凍室用蒸発器と、冷蔵室冷却用ファンと冷凍室冷却用ファンを備えた冷蔵室と冷凍室とで構成され、前記三方弁により冷媒の流れを冷蔵室回路と冷凍室回路に切り替えることにより前記冷蔵室と前記冷凍室を交互に冷却する冷蔵庫において、電源投入からの一定時間、冷蔵室冷却時間および冷凍室冷却時間を、それぞれ独立した所定時間に固定し、冷凍室冷却時間を冷蔵室冷却時間より長い所定時間に設定することにより、冷凍室用蒸発器に十分な冷媒をホールドさせることができ、冷凍室冷却モードから冷蔵室冷却モードに切り替わったとき、冷蔵室冷却中に冷媒循環量が増加するのを抑止し、冷蔵室用蒸発器の上流側に配設された第一のキャピラリ付近で冷媒流音が発生するのを防ぐことができる。
【００３５】
また、請求項２に記載の発明は、請求項１記載の発明において、前記電源投入時からの一定時間、冷蔵室冷却時間、および冷凍室冷却時間を、外気温度検知手段によって検知される外気温度によって判断される所定時間に設定することにより、冷媒流音が発生しやすい外気温度と発生しにくい外気温度によって、それぞれ適正な固定冷却時間を設定することができ、冷凍室用蒸発器にホールドする冷媒量を調節し、冷媒循環量の増加によって冷蔵室用蒸発器の上流側に配設された第一のキャピラリ付近で冷媒流音が発生するのを防ぐことができる。
【図面の簡単な説明】
【図１】本発明の実施の形態１の冷蔵庫の断面図
【図２】同実施の形態の冷蔵庫のタイムチャート
【図３】本発明の実施の形態２の冷蔵庫の固定冷却時間テーブルを示す図
【図４】従来の冷蔵庫の断面図
【符号の説明】
１  圧縮機
２  凝縮器
３  三方弁
４  第一のキャピラリ
５  冷蔵室用蒸発器
６  第二のキャピラリ
７  冷凍室用蒸発器
８  冷蔵室
９  冷凍室
１０  冷蔵室用ファン
１１  冷凍室用ファン
１７  冷蔵庫箱体
１８  外気温度検知手段
【図１】
2005016778.tif 000003
【図２】
2005016778.tif 000004
【図３】
2005016778.tif 000005
【図４】
2005016778.tif 000006